(57)【特許請求の範囲】
【請求項１】
ベース上に立設した仕切板により内部ユニットを室内側熱交換室と室外側熱交換室とに区画し、室内側熱交換室に室内熱交換器と、シロッコファンと、同シロッコファンを囲むファンケーシングと、同ファンケーシングに付設した室内側ファンリングとを備え、室外側熱交換室に室外熱交換器と、圧縮機と、プロペラファンと、同プロペラファンと前記シロッコファンとを駆動するファンモータとを備えた一体型空気調和機において、
前記ファンケーシングは、前記シロッコファンよりも大径のファンリング用開口部を有して、前記シロッコファンの回転中心を境に上下に分割した下部ファンケーシングと上部ファンケーシングとからなり、前記下部ファンケーシングのファンリング用開口部の周縁と、前記上部ファンケーシングのファンリング用開口部の周縁とからなる保持部を備え、前記保持部に隣接する内面側に円環状に凹設された係合片受部を備え、前記保持部に隣接する外面側に凹設された複数の係合爪受部を備え、
前記室内側ファンリングは、前記シロッコファンに近接させた先端が少なくとも同シロッコファンの外径よりも小径で形成されるとともに、前記係合片受部に係合する円板状の係合片と、前記係合爪受部に係合する複数の係合爪を有するファンリング係合部を備えたことを特徴とする一体型空気調和機。
【請求項２】
前記係合片受部は矩形状に凹設され、前記係合爪の側部が前記係合片受部の側部で規制されることを特徴とする請求項１に記載の一体型空気調和機。
【発明の詳細な説明】
【技術分野】
【０００１】
本発明は、一体型空気調和機のファンケーシングに係わるものである。
【背景技術】
【０００２】
従来の一体型空気調和機は、筒状に形成された外胴と、この外胴内に引出し可能に収納された内部ユニットとによって構成され、図６に示すように、内部ユニット１０１を構成するベース１０２に、このベース１０２上を室内側熱交換室１０３と室外側熱交換室１０４に仕切る仕切板１０５が固定され、室内側熱交換室１０３のベース１０２には、水受皿部１０６、ファンリング部１０７およびファンケーシング１０８が、発泡体１０９により一体的に形成されて設置された構成になっていた（例えば、特許文献１参照）。
【０００３】
このものにおいて、水受皿部１０６、ファンリング部１０７およびファンケーシング１０８が発泡体１０９により一体成形されていることから、とくにファンリング部１０７やファンケーシング１０８などの形状または寸法の精度がよくないため、ファンリング部１０７を臨ませたシロッコファン（図示せず）による充分な送風性能が得られないという問題点があった。
【０００４】
また、図７（Ａ）に示す要部斜視図または図７（Ｂ）に示す図７（Ａ）のａ−ａ断面図のように、樹脂成形した導風板１１０に樹脂成形した室内側ファンリング１１１を組み付ける構成の場合、これら導風板１１０および室内側ファンリング１１１の形状または寸法は精度がよくなるが、この室内側ファンリング１１１の内径よりも大きい外径のシロッコファン１１２をその回転軸の方向に移動させながら交換するには、導風板１１０と室内側ファンリング１１１とを本体から取り外してから交換作業をする必要があるが、交換作業の作業性が悪いという問題点があった（例えば、特許文献２参照）。
【先行技術文献】
【特許文献】
【０００５】
【特許文献１】実開昭６３−９２１３３号公報
【特許文献２】実開昭６０−１３０３２９号公報
【発明の概要】
【発明が解決しようとする課題】
【０００６】
本発明は、上記問題点に鑑み、シロッコファンによる送風性能を高めるとともに、シロッコファンを交換する時の作業性を良好にした一体型空気調和機を提供することを目的とする。
【課題を解決するための手段】
【０００７】
上述した目的を達成するため、本発明は以下に示す特徴を備えている。
【０００８】
ベース上に立設した仕切板により内部ユニットを室内側熱交換室と室外側熱交換室とに区画し、室内側熱交換室に室内熱交換器と、シロッコファンと、同シロッコファンを囲むファンケーシングと、同ファンケーシングに付設した室内側ファンリングとを備え、室外側熱交換室に室外熱交換器と、圧縮機と、プロペラファンと、同プロペラファンと前記シロッコファンとを駆動するファンモータとを備えた一体型空気調和機において、
前記ファンケーシングは、前記シロッコファンよりも大径のファンリング用開口部を有して、前記シロッコファンの回転中心を境に上下に分割した下部ファンケーシングと上部ファンケーシングとからなり、前記下部ファンケーシングのファンリング用開口部の周縁と、前記上部ファンケーシングのファンリング用開口部の周縁とからなる保持部を備え、
前記室内側ファンリングは、前記シロッコファンに近接させた先端が少なくとも同シロッコファンの外径よりも小径で形成されるとともに、前記室内熱交換器側および前記シロッコファン側の外周縁に、前記保持部に係合する複数の係合爪を有するファンリング係合部を備えたことを特徴としている。
【０００９】
前記ファンケーシングの保持部は、前記係合爪の側端を位置決めして受ける凹状の係合爪受部を備えたことを特徴としている。
【発明の効果】
【００１０】
本発明によれば、シロッコファンによる送風性能を高めるとともに、シロッコファンを交換する時の作業性を良好にした一体型空気調和機を提供できる。
【図面の簡単な説明】
【００１１】
【図１】本発明による一体型空気調和機の外観斜視図である。
【図２】本発明による一体型空気調和機の内部ユニットの斜視図である。
【図３】本発明による一体型空気調和機の内部ユニットの要部斜視図である。
【図４】本発明による一体型空気調和機の内部ユニットの要部分解斜視図である。
【図５】図３に示すＡ−Ａ断面図である。
【図６】従来例による一体型空気調和機の要部斜視図である。
【図７】他の従来例による一体型空気調和機の要部説明図で、（Ａ）は斜視図であり、（Ｂ）は図７（Ａ）に示すａ−ａ断面図である。
【発明を実施するための形態】
【００１２】
以下、本発明の実施の形態を、添付図面に基づいた実施例として詳細に説明する。
【００１３】
図１は本発明による一体型空気調和機の外観斜視図であり、図２は外胴２内に収納される内部ユニット１の斜視図であり、図３は内部ユニット１の要部斜視図であり、図４は内部ユニット１の要部分解斜視図であり、図５は図３に示すＡ−Ａ断面図である。
【００１４】
本発明による一体型空気調和機は、図２に示す内部ユニット１が、図１に示す室外側吸込口２ａと、室外側吹出口２ｂとを備えた外胴２内に収納され、室内側吸込口２ｃと、室内側吹出用の開口２ｄとを備えた前面パネル２ｅで前面が覆われた構成になっている。
【００１５】
内部ユニット１は、図２に示すように、ベース３上に立設した仕切板４により室内側熱交換室５と室外側熱交換室６とに区画され、室内側熱交換室５の一側寄りに、室内熱交換器７と後述するシロッコファン８とが設けられ、室内側熱交換室５の他側寄りに、室内熱交換器７の冷媒との間で熱交換された空気を室内に吹き出す室内側吹出口１ａと、本発明による一体型空気調和機の運転操作をする操作部１ｂとが設けられている。
【００１６】
室外側熱交換室６には、ベース３上に下端を固定した側板１６，１６を両端部に備えてＵ字形状に折り曲げられた室外熱交換器１１と、図４に示すモータ取付台２０に取り付けたファンモータ１９と、ファンモータ１９で駆動されるプロペラファン１２と、プロペラファン１２を囲む室外側ファンリング１３を備えたエアガイダ１４と、圧縮機１５とが設けられている。
【００１７】
ファンモータ１９は、このファンモータ１９の両側に備えた駆動軸１９ａ，１９ａに、図４に示すシロッコファン８と、図２に示すプロペラファン１２とがそれぞれ連結されることで、これらシロッコファン８とプロペラファン１２とが同時に駆動される構成になっている。
【００１８】
ベース３上に固定された仕切板４は、ベース３上に固定された室外熱交換器１１の側板１６，１６に対向させた構成になっており、仕切板４および側板１６，１６が、ともに板金で形成されている。
【００１９】
板金製の仕切板４の上端部と、側板１６，１６の上端部とは、枠形状に形成された板金製の支持板からなる支持部材１７によって連結されている。
【００２０】
また、室内側熱交換室５に設けられた室内熱交換器７およびシロッコファン８等の上部であって、折曲形成されている仕切板４の上端部には、図２に示すように、板金で形成された天板１８がねじ締めにより固定されている。
【００２１】
シロッコファン８は、図３乃至図５に示すように、室内側ファンリング９を備えたファンケーシング１０内に収納され、図２に示す室内熱交換器７で冷媒と熱交換された空気を、室内側ファンリング９のベルマウス部９ｅからファンケーシング１０内に導入したのち、室内側吹出用の開口２ｄから室内に吹き出すようにしている。
【００２２】
ファンケーシング１０は、シロッコファン８よりも大径のファンリング用開口部１０ｘを有した発泡体（発泡スチロール）からなり、シロッコファン８の回転中心を境界に上下に分割した下部ファンケーシング１０ａと、上部ファンケーシング１０ｂとで構成されている。
【００２３】
上下に分割された境界位置において、下部ファンケーシング１０ａは、室内側ファンリング９の下半分に対応する半円状のファンリング用開口部の周縁１０ａ１と、下部接合部１０ａ２とを備える一方、上部ファンケーシング１０ｂは、室内側ファンリング９の上半分に対応する半円状のファンリング用開口部の周縁１０ｂ１と、上部接合部１０ｂ２とを備えている。
【００２４】
ファンケーシング１０は、下部ファンケーシング１０ａに備えたファンリング用開口部の周縁１０ａ１と、上部ファンケーシング１０ｂに備えたファンリング用開口部の周縁１０ｂ１とで室内側ファンリング９を保持する保持部を構成し、保持部に隣接する内面側に、円環状に凹設された係合片受部１０ａ３，１０ｂ３を備え、保持部に隣接する外面側に、矩形状に凹設された複数の係合爪受部１０ａ４，１０ｂ４を備えている。
【００２５】
また、下部ファンケーシング１０ａに備えた下部接合部１０ａ２と、上部ファンケーシング１０ｂに備えた上部接合部１０ｂ２とは、図示はしないが、接合するのと同時に嵌合する凹凸状の嵌合部を備えることで、接合した部位の気密性を確保できるようにしている。
【００２６】
室内側ファンリング９は、図４および図５に示すように、シロッコファン８に隣接させた先端９ｆの内径９ａがシロッコファン８の外径８ａよりも小径で形成されることで、シロッコファン８に効率よく導風するベルマウス部９ｅと、ファンケーシング１０に備えた保持部に係合するファンリング係合部９ｂとを備えている。
【００２７】
ファンリング係合部９ｂは、ファンリング用開口部１０ｘの全周縁の内面側に備えた係合片受部１０ａ３，１０ｂ３に対応する円板状の係合片９ｃと、下部ファンケーシング１０ａのファンリング用開口部の周縁１０ａ１の外面側に備えた複数の係合爪受部１０ａ４，１０ａ４に対応する複数の係合爪９ｄと、上部ファンケーシング１０ｂのファンリング用開口部の周縁１０ｂ１の外面側に備えた複数の係合爪受部１０ｂ４，１０ｂ４に対応する複数の係合爪９ｄとを備えている。
【００２８】
これにより、室内側ファンリング９は、ファンケーシング１０に形成されたファンリング用開口部の周縁１０ａ１および１０ｂ１からなる保持部によりファンリング係合部９ｂが密着して係合されることになって、ファンケーシング１０に対し気密性を有して組み付けられるようになる。
【００２９】
また、室内側ファンリング９が気密性を有して組み付けられた際、ファンケーシング１０の保持部に備えた係合片受部１０ａ３，１０ｂ３に室内側ファンリング９の係合片９ｃが係合し、複数の係合爪受部１０ａ４，１０ａ４と複数の係合爪受部１０ｂ４，１０ｂ４とに、複数の係合爪９ｄがそれぞれ係合する。
【００３０】
なお、係合片受部１０ａ３，１０ｂ３は、図示はしないが、ファンリング用開口部１０ｘの全周縁の内面側に凹設するのではなく、ファンリング用開口部の周縁１０ａ１の外面側に備えた複数の係合爪受部１０ａ４，１０ａ４と同様に形成されてもよい。
【００３１】
その場合には、上述した係合片９ｃは、円板状ではなく複数の係合爪受部１０ａ４，１０ａ４にそれぞれ係合する複数の係合爪９ｄと同様の形状に形成されることで、ファンケーシング１０の内面側と外面側とで複数の係合爪受部１０ａ４，１０ａ４に係合する。
【００３２】
複数の係合爪９ｄの側部が、ファンリング用開口部の周縁１０ａ１に備えた複数の係合爪受部１０ａ４，１０ａ４の側部で規制され、また、ファンリング用開口部の周縁１０ｂ１に備えた複数の係合爪受部１０ｂ４，１０ｂ４の側部で規制されることで、室内側ファンリング９は、回動しないよう位置決めされた状態で保持部に係合することになる。
【００３３】
回動しないように保持された室内側ファンリング９は、ベルマウス部９ｅの先端９ｆの内径９ａがシロッコファン８の外径８ａよりも小径に形成されている。これにより、ファンケーシング１０内への導風性を良好にして、シロッコファン８による送風性能を高めることができるようになる。
【００３４】
また、ファンリング用開口部の周縁１０ａ１および１０ｂ１からなる保持部（ファンリング用開口部１０ｘ）は、シロッコファン８の外径８ａよりも大径に形成されている。これにより、シロッコファン８を交換する際、シロッコファン８をファンモータ１９の駆動軸１９ａに沿って保持部の側に移動できるようになる。
【００３５】
そのため、上部ファンケーシング１０ｂが、下部ファンケーシング１０ａから取り外され、室内側ファンリング９が、下部ファンケーシング１０ａのファンリング用開口部の周縁１０ａ１から取り外されることで、シロッコファン８を保持部の側に移動させて容易に交換できるようになる。
【００３６】
以上説明したように、本発明の構成によれば、室内側ファンリング９が合成樹脂により形状および寸法が精度よく形成され、気密性を有してファンケーシング１０に保持されることで、室内側ファンリング９からファンケーシング１０内に導風して、シロッコファン８により室内側吹出口１ａから吹き出す送風性能を高めることができる。
【００３７】
また、ファンケーシング１０が、下部ファンケーシング１０ａと上部ファンケーシング１０ｂとに分割形成され、室内側ファンリング９が着脱可能に保持されるので、上部ファンケーシング１０ｂおよび室内側ファンリング９を取り外すことで、シロッコファン８を、駆動軸１９ａの方向に移動可能にして容易に交換できるようにした一体型空気調和機となる。
【符号の説明】
【００３８】
１  内部ユニット
１ａ  室内側吹出口
１ｂ  操作部
２  外胴
２ａ  室外側吸込口
２ｂ  室外側吹出口
２ｃ  室内側吸込口
２ｄ  室内側吹出用の開口
２ｅ  前面パネル
３  ベース
４  仕切板
４ａ  ねじ孔
５  室内側熱交換室
６  室外側熱交換室
７  室内熱交換器
８  シロッコファン
８ａ  外径部
８ｂ  吸込側
９  室内側ファンリング
９ａ  内径部
９ｂ  ファンリング係合部
９ｃ  係合片
９ｄ  係合爪
９ｅ  ベルマウス部
９ｆ  先端
１０  ファンケーシング
１０ａ  下部ファンケーシング
１０ａ１  ファンリング用開口部の周縁
１０ａ２  下部接合部
１０ａ３  係合片受部
１０ａ４  係合爪受部
１０ｂ  上部ファンケーシング
１０ｂ１  ファンリング用開口部の周縁
１０ｂ２  上部接合部
１０ｂ３  係合片受部
１０ｂ４  係合爪受部
１０ｘ  ファンリング用開口部
１１  室外熱交換器
１２  プロペラファン
１３  室外側ファンリング
１４  エアガイダ
１５  圧縮機
１６  側板
１７  支持部材
１８  天板
１９  ファンモータ
１９ａ  駆動軸
２０  モータ取付台
【図１】
0005849563.tif 000002
【図２】
0005849563.tif 000003
【図３】
0005849563.tif 000004
【図４】
0005849563.tif 000005
【図５】
0005849563.tif 000006
【図６】
0005849563.tif 000007
【図７】
0005849563.tif 000008